(57)【要約】【課題】いわゆるナンバーディスプレイ機能を利用しつつ、呼出音を利用する形態での不便さを解消することができるようにする。【解決手段】任意の発信元からの呼出に際して呼出音を鳴動させるとともに、その発信元に関する通知情報として取得した識別番号を表示可能であり、識別番号を含む各種データを記憶可能なＥＥＰＲＯＭを備えたファクシミリ装置であって、ＣＰＵは、特定の発信元からの呼出に際して得られた識別番号を、通信動作中における所定の操作に応じて、特定番号としてＥＥＰＲＯＭに設定登録させる（Ｓ１５）。そして、次回の呼出時において、ＣＰＵは、任意の発信元からの呼出に際して得られた識別番号が、既にＥＥＰＲＯＭに設定登録された特定番号に一致するか否かを判別し（Ｓ８）、識別番号が特定番号に一致する場合（Ｓ８：ＹＥＳ）、通常とは異なる音色の特定音を鳴動させる（Ｓ９）。【選択図】  図３
2008141788.tif 000002
【特許請求の範囲】
【請求項１】
任意の発信元からの呼出に際して呼出音を鳴動させるとともに、その発信元に関する通知情報として取得した識別番号を表示可能な通信装置であって、
特定の発信元からの呼出に際して得られた識別番号を、通信動作中における所定の操作に応じて、優先番号として一時的に記憶手段に設定登録させる優先番号設定登録手段と、
任意の発信元からの呼出に際して得られた識別番号が、上記優先番号設定登録手段によって既に上記記憶手段に設定登録された優先番号に一致するか否かを判別する優先番号判別手段と、
上記優先番号判別手段によって識別番号が優先番号に一致するとの判別結果が得られた場合、通常とは異なる音色の呼出音を鳴動させる呼出音鳴り分け手段と、
上記呼出音鳴り分け手段により呼出音を鳴動させたことを条件として、上記優先番号設定登録手段により設定登録された優先番号を上記記憶手段から削除する削除手段とを有することを特徴とする通信装置。
【請求項２】
上記呼出音鳴り分け手段は、通常とは異なる音色の呼出音を複数種用意された音色ごとに鳴動可能であり、上記優先番号設定登録手段は、識別番号を優先番号として上記記憶手段に設定登録させる際、所定の操作に応じて指定された音色の種別を上記優先番号の属性情報として上記記憶手段に登録させている、請求項１に記載の通信装置。
【請求項３】
任意の発信元からの呼出に際して呼出音を鳴動させるとともに、その発信元に関する通知情報として取得した識別番号を表示可能な通信装置を制御するためのプログラムを記憶した記憶媒体であって、
特定の発信元からの呼出に際して得られた識別番号を、通信動作中における所定の操作に応じて、優先番号として一時的に記憶手段に設定登録させるための優先番号設定登録プログラムと、
任意の発信元からの呼出に際して得られた識別番号が、上記優先番号設定登録プログラムに基づいて既に上記記憶手段に設定登録された優先番号に一致するか否かを判別するための優先番号判別プログラムと、
上記優先番号判別プログラムに基づいて識別番号が優先番号に一致するとの判別結果が得られた場合、通常とは異なる音色の呼出音を鳴動させるための呼出音鳴り分けプログラムと、
上記呼出音鳴り分け手段により呼出音を鳴動させたことを条件として、上記優先番号設定登録手段により設定登録された優先番号を上記記憶手段から削除する削除プログラムとを含むプログラムを記憶したことを特徴とする記憶媒体。
【発明の詳細な説明】
【技術分野】
【０００１】
本発明は、たとえば呼出音を鳴動させる電話装置などであって、いわゆるナンバーディスプレイ機能を備えた通信装置、およびその通信装置を制御するためのプログラムを記憶した記憶媒体に関する。
【背景技術】
【０００２】
たとえば最近の電話装置においては、多種多様な機能が付加されており、その機能の一つとして、任意の発信元から呼出があった場合、公衆電話回線を通じてその発信元に関する電話番号を識別番号として取得し、その識別番号を表示することができる、いわゆるナンバーディスプレイ機能を備えたものがある。
【０００３】
また、そのようなナンバーディスプレイ機能を利用し、予めメモリに電話帳登録した相手先から呼出があった場合、その呼出に際して得られた識別番号が電話帳登録された電話番号と一致すると、通常とは異なる音色の呼出音を鳴動させる、いわゆる呼出音鳴り分け機能を備えた電話装置もある。
【０００４】
一方、予定された発信元からの呼出を単に呼出音によって定期的に確認するという電話装置の利用方法がある。このような方法では、発信元がある決まった時刻に電話をかけ、呼出音（リングバックトーン）を数回聞いた後に電話を切るという処置が行われている。受信側の利用者は、発信元との間で決められた時刻に数回程度の呼出音が鳴ることで、オンフックの状態のままで発信元と通話することなく安否の確認などを行っている。
【特許文献１】特開平０３−０７６４５４号公報
【発明の開示】
【発明が解決しようとする課題】
【０００５】
しかし、上記従来の電話装置では、予め電話帳登録された相手先からの呼出に対してのみ通常とは異なる音色の呼出音を鳴動させており、通信動作中の状況において呼出に際して得られた識別番号については、その通信動作の最中に呼出音鳴り分け機能に基づく設定登録操作を行うことができないという不便さがあった。
【０００６】
また、電話装置の呼出音を利用して定期的な時刻に安否の確認などを行う場合、予定された発信元は、受信側との間で決められた時刻に電話をかけなければならず、受信側にとっても非常に面倒であり、さらに、受信側では、呼出音の鳴動に応じてオフフックするという通話操作手順が習慣化されているため、予定された発信元からの呼出であっても呼出音に応じて間違ってオフフック操作してしまうという不便さがあった。
【０００７】
本発明は、上記の点に鑑みて提案されたものであって、識別番号表示機能を利用しつつ、呼出音を利用する各種形態での不便さを解消することができる通信装置、およびその通信装置を制御するためのプログラムを記憶した記憶媒体を提供することを目的としている。
【課題を解決するための手段】
【０００８】
上記目的を達成するために、請求項１に記載した発明の通信装置は、任意の発信元からの呼出に際して呼出音を鳴動させるとともに、その発信元に関する通知情報として取得した識別番号を表示可能な通信装置であって、特定の発信元からの呼出に際して得られた識別番号を、通信動作中における所定の操作に応じて、優先番号として一時的に記憶手段に設定登録させる優先番号設定登録手段と、任意の発信元からの呼出に際して得られた識別番号が、上記優先番号設定登録手段によって既に上記記憶手段に設定登録された優先番号に一致するか否かを判別する優先番号判別手段と、上記優先番号判別手段によって識別番号が優先番号に一致するとの判別結果が得られた場合、通常とは異なる音色の呼出音を鳴動させる呼出音鳴り分け手段と、上記呼出音鳴り分け手段により呼出音を鳴動させたことを条件として、上記優先番号設定登録手段により設定登録された優先番号を上記記憶手段から削除する削除手段とを有することを特徴としている。
【０００９】
このような通信装置によれば、通話中の相手が再度電話をかけ直すといったような場合、その相手先の電話番号を優先番号として設定登録しておけば、その相手先から再び呼出があった場合に通常とは異なる音色の呼出音が鳴動し、通話を行っていた本人が直接オフフック操作することで、他人を介することなく取り次ぎの手間を省くことができるとともに、優先番号を記憶手段から消去する手間も省くことができる。
【００１０】
また、請求項２に記載した発明の通信装置は、請求項１に記載の通信装置であって、上記呼出音鳴り分け手段は、通常とは異なる音色の呼出音を複数種用意された音色ごとに鳴動可能であり、上記優先番号設定登録手段は、識別番号を優先番号として上記記憶手段に設定登録させる際、所定の操作に応じて指定された音色の種別を上記優先番号の属性情報として上記記憶手段に登録させている。
【００１１】
このような通信装置によれば、請求項１に記載の通信装置による効果に加えて、複数種用意された呼出音の音色の種別を属性情報として指定しつつ、識別番号を優先番号として設定登録することができるので、そうして設定登録された優先番号が呼出時の識別番号と一致する場合、指定された音色の呼出音が呼出時に鳴動することとなり、呼出音の音色を聞き分けることで呼出時の発信元を区別することができる。
【００１２】
さらに、請求項３に記載した発明の記憶媒体は、任意の発信元からの呼出に際して呼出音を鳴動させるとともに、その発信元に関する通知情報として取得した識別番号を表示可能な通信装置を制御するためのプログラムを記憶した記憶媒体であって、特定の発信元からの呼出に際して得られた識別番号を、通信動作中における所定の操作に応じて、優先番号として一時的に記憶手段に設定登録させるための優先番号設定登録プログラムと、任意の発信元からの呼出に際して得られた識別番号が、上記優先番号設定登録プログラムに基づいて既に上記記憶手段に設定登録された優先番号に一致するか否かを判別するための優先番号判別プログラムと、上記優先番号判別プログラムに基づいて識別番号が優先番号に一致するとの判別結果が得られた場合、通常とは異なる音色の呼出音を鳴動させるための呼出音鳴り分けプログラムと、上記呼出音鳴り分け手段により呼出音を鳴動させたことを条件として、上記優先番号設定登録手段により設定登録された優先番号を上記記憶手段から削除する削除プログラムとを含むプログラムを記憶したことを特徴としている。
【００１３】
このような記憶媒体によれば、記憶されたプログラムに基づいてＣＰＵを動作させることにより、請求項１に記載の通信装置の動作を実現することができる。
【発明の効果】
【００１４】
以上説明したように、請求項１に記載した発明の通信装置によれば、通話中の相手が再度電話をかけ直すといったような場合、その相手先の電話番号を優先番号として設定登録しておけば、その相手先から再び呼出があった場合に通常とは異なる音色の呼出音が鳴動し、通話を行っていた本人が直接オフフック操作することで、他人を介することなく取り次ぎの手間を省くことができるとともに、優先番号を記憶手段から消去する手間も省くことができる。
【００１５】
また、請求項２に記載した発明の通信装置によれば、請求項１に記載の通信装置による効果に加えて、複数種用意された呼出音の音色の種別を属性情報として指定しつつ、識別番号を優先番号として設定登録することができるので、そうして設定登録された優先番号が呼出時の識別番号と一致する場合、指定された音色の呼出音が呼出時に鳴動することとなり、呼出音の音色を聞き分けることで呼出時の発信元を区別することができる。
【００１６】
さらに、請求項３に記載した発明の記憶媒体によれば、記憶されたプログラムに基づいてＣＰＵを動作させることにより、請求項１に記載の通信装置の動作を実現することができる。
【発明を実施するための最良の形態】
【００１７】
次に、上記構成を有するファクシミリ装置の主に通話処理における動作について図面を参照して説明する。
【００１８】
図３は、呼出音鳴り分けモードＩにおけるＣＰＵ１の動作手順を示したフローチャートであって、この図に示す呼出音鳴り分けモードＩは、一般的な順序で動作が行われる場合の一例を示したものであり、必ずしもこの図に示す順序であるとは限らない。また、動作手順を明確とするために、呼出音鳴り分け機能に基づく動作を主要動作として図示説明する。
【００１９】
図３に示すように、まず、ＣＰＵ１は、公衆電話回線１６を通じて起動信号を受信したか否かを判断している（Ｓ１）。
【００２０】
起動信号を受信したと判断した場合（Ｓ１：ＹＥＳ）、ＣＰＵ１は、ＮＣＵ２がコーラＩＤ信号を受信したか否かを判断する（Ｓ２）。このコーラＩＤ信号とは、発信元に関する通知情報として発信元の電話番号を内容とした信号であって、その信号に含まれる内容は、モデム４によりデジタルデータに変換可能とされている。
【００２１】
そうしてコーラＩＤ信号を受信した場合（Ｓ２：ＹＥＳ）、ＣＰＵ１は、一時的に公衆電話回線１６と閉結させた状態とし（Ｓ３）、ＮＣＵ２を介して取り込んだコーラＩＤ信号をモデム４により復調させることで発信元電話番号を識別番号として取得する（Ｓ４）。こうして取得された識別番号は、履歴番号としてＥＥＰＲＯＭ６内の履歴番号記憶エリアに記憶される。
【００２２】
識別番号を取得したＣＰＵ１は、このモードが開始される前の状態と同様に、公衆電話回線１６から開放された状態とする（Ｓ５）。ここまでのＳ３からＳ５までの動作は、使用者から見て非常に短いサイクルタイムで行われる。
【００２３】
その後、ＣＰＵ１は、取得した識別番号をディスプレイ１４ａに表示させ（Ｓ６）、ほぼそれと同時にパイロットランプ１４ｂを点灯状態とする（Ｓ７）。
【００２４】
さらに、ＣＰＵ１は、後述するＳ１５の処理などによってＥＥＰＲＯＭ６内の特定・予定番号記憶エリアに既に設定登録された特定番号を読み出し、その特定番号とＳ４の処理によって取得した識別番号とが一致するか否かを判別する（Ｓ８）。
【００２５】
識別番号が特定番号に一致する場合（Ｓ８：ＹＥＳ）、ＣＰＵ１は、その特定番号に対応する呼出音パターンを参照し、ＮＣＵ２を制御して呼出ベルにより通常とは異なる特定音を鳴動させる（Ｓ９）。
【００２６】
このようにして動作が行われている間、ＣＰＵ１は、発信元から一方的に回線切断要求を内容とした切断信号を受信したか否かを判断している（Ｓ１０）。
【００２７】
発信元からの切断信号を受信しない場合（Ｓ１０：ＮＯ）、ＣＰＵ１は、このモードにかかる動作を継続させ、送受話器などが使用者により持ち上げられることでオフフックされたか否かを判断する（Ｓ１１）。
【００２８】
オフフックされた場合（Ｓ１１：ＹＥＳ）、ＣＰＵ１は、公衆電話回線１６と閉結させた状態とする（Ｓ１２）。
【００２９】
続いて、ＣＰＵ１は、Ｓ６〜Ｓ９の処理によって動作が開始された、識別番号の表示、パイロットランプ１４ｂの点灯、さらに特定音の鳴動などの動作を停止させる処理を行う（Ｓ１３）。これにより、発信元と公衆電話回線１６を通じて音声信号などを双方向に伝送可能な通話処理が行われることとなる。
【００３０】
そのようにして各種の動作が停止された後、あるいは通話処理が行われている間、ＣＰＵ１は、Ｓ４において取得した識別番号を特定・予定番号記憶エリアに特定番号として設定登録するための操作が使用者により行われたか否かを判断している（Ｓ１４）。そのような特定番号を設定登録するための操作は、操作部１３における所定のキーをワンプッシュ操作することなどによって行われる。この際、特定音Ａ〜Ｃの音色を指定して設定登録することも可能とされている。
【００３１】
特定番号を設定登録するための操作がなされた場合（Ｓ１４：ＹＥＳ）、ＣＰＵ１は、その特定番号をＥＥＰＲＯＭ６の特定・予定番号記憶エリアに設定登録させる（Ｓ１５）。このようにしてＥＥＰＲＯＭ６に設定登録された特定番号がその後上記したＳ８において用いられることとなる。
【００３２】
以上のような処理動作中、ＣＰＵ１は、通話を終了した使用者によって送受話器などが元のセット位置に置かれることでオンフックされたか否かを判断している（Ｓ１６）。
【００３３】
オンフックされた場合（Ｓ１６：ＹＥＳ）、ＣＰＵ１は、公衆電話回線１６から開放させた状態とし（Ｓ１７）、この呼出音鳴り分けモードＩにかかるプログラムの実行を終了して再び元の待機状態となる。
【００３４】
Ｓ１６において、オンフックされない場合（Ｓ１６：ＮＯ）、ＣＰＵ１は、Ｓ１４に戻って通話処理を続行させる。
【００３５】
Ｓ１４において、特定番号を設定登録するための操作がされない場合（Ｓ１４：ＮＯ）、ＣＰＵ１は、Ｓ１６に飛んでオンフックされたか否かの判断を行う。
【００３６】
Ｓ１１において、オフフックされない場合（Ｓ１１：ＮＯ）、ＣＰＵ１は、Ｓ１０に戻り、発信元から切断信号を受信するまでそのＳ１０の判断を繰り返す。
【００３７】
Ｓ１０において、発信元からの切断信号を受信した場合（Ｓ１０：ＹＥＳ）、ＣＰＵ１は、Ｓ１３と同様のＳ１８の処理を行った後、この呼出音鳴り分けモードＩにかかるプログラムの実行を終了して再び元の待機状態となる。
【００３８】
Ｓ８において、識別番号が特定番号に一致しない場合（Ｓ８：ＮＯ）、ＣＰＵ１は、ＮＣＵ２を制御して呼出ベルにより通常音を鳴動させる（Ｓ１９）。
【００３９】
Ｓ２において、コーラＩＤ信号を受信しない場合（Ｓ２：ＮＯ）、ＣＰＵ１は、Ｓ６の識別番号を表示させる処理を行うことなく、パイロットランプ１４ｂを点灯状態とし（Ｓ２０）、それとほぼ同時にＳ１９の通常音による鳴動を開始させる。
【００４０】
Ｓ１において、起動信号を受信しない場合（Ｓ１：ＮＯ）、ＣＰＵ１は、このＳ１の判断を繰り返し行うことで起動信号を受信するまで待機状態を続ける。
【００４１】
以上のＣＰＵ１による一連の処理動作により、Ｓ１１からＳ１６の通信動作中の状況においてＳ４の処理動作を経て得られた識別番号は、その通信動作の最中に行われる設定登録操作に応じて、通常とは異なる音色の特定音に対応した特定番号としてＥＥＰＲＯＭ６の特定・予定番号記憶エリアに設定登録することができ、そうして設定登録された特定番号が呼出時に得られた識別番号と一致することで、通常とは異なる音色の特定音が呼出時に鳴動することとなる。
【００４２】
続いて、図４は、呼出音遅延モードにおけるＣＰＵ１の動作手順を示したフローチャートであって、この図に示す呼出音遅延モードは、図３に示した呼出音鳴り分けモードＩと同様に、一般的な順序で動作が行われる場合の一例を示したものであり、必ずしもこの図に示す順序であるとは限らない。また、動作手順を明確とするために、呼出音遅延機能に基づく動作を主要動作として図示説明し、呼出音鳴り分けモードＩと共通する動作については、その説明を省略する。
【００４３】
図４に示すように、Ｓ３１〜Ｓ３７の処理動作については、図３に示すＳ１〜Ｓ７の処理動作と同じである。
【００４４】
Ｓ３７に続いて、ＣＰＵ１は、ＥＥＰＲＯＭ６内の特定・予定番号記憶エリアに既に設定登録された予定番号を読み出し、その予定番号とＳ３４の処理によって取得した識別番号とが一致するか否かを判別する（Ｓ３８）。
【００４５】
識別番号が予定番号に一致する場合（Ｓ３８：ＹＥＳ）、さらにＣＰＵ１は、その予定
番号に対して無音状態とする呼出音の指定回数が設定されているか否かを判別する（Ｓ３９）。ここで、無音状態とする呼出音の指定回数とは、呼出音の遅延時間を指定するために予定番号に付随する属性としてＥＥＰＲＯＭ６に設定されているものであって、その指定回数が設定されていない場合には、予定番号については、一切呼出音が鳴らない状況とされる。
【００４６】
無音状態とする呼出音の指定回数が設定されている場合（Ｓ３９：ＹＥＳ）、ＣＰＵ１は、その指定回数分に限り呼出音を無音状態として呼出音の鳴動を遅延させる処理を行う（Ｓ４０）。この呼出音の指定回数呼出待ち処理とは、ＣＰＵ１がＳ３６の識別番号の表示開始から呼出音を鳴動させることなく、通常時において鳴動すべき呼出音の回数を指定回数に達するまで内部処理にてカウントし、そのカウントする時間内において無音状態を継続させる処理である。これにより、識別番号の表示開始から指定回数分に限って呼出音が鳴動しない状態となる。
【００４７】
Ｓ４０の呼出待ち処理を終えたＣＰＵ１は、ＮＣＵ２を制御して呼出ベルにより呼出音を鳴動させる（Ｓ４１）。
【００４８】
そうして呼出音を鳴動させたＣＰＵ１は、図３に示すＳ１０〜Ｓ１３と同様のＳ４２〜Ｓ４５の処理を行うとともに、それに続いて図３に示すＳ１６，Ｓ１７と同様のＳ４６，Ｓ４７の処理を行い、この呼出音遅延モードにかかるプログラムの実行を終了して再び元の待機状態となる。
【００４９】
Ｓ４６において、オンフックされない場合（Ｓ４６：ＮＯ）、ＣＰＵ１は、このＳ４６の判断を繰り返し行い、オンフックされるまで通話処理を続行させる。
【００５０】
Ｓ４３において、オフフックされない場合（Ｓ４３：ＮＯ）、ＣＰＵ１は、Ｓ４２に戻り、発信元から切断信号を受信するまでそのＳ４２の判断を繰り返す。
【００５１】
Ｓ４２において、発信元から切断信号を受信した場合（Ｓ４２：ＹＥＳ）、ＣＰＵ１は、Ｓ４５と同様のＳ４８の処理を行った後、この呼出音遅延モードにかかるプログラムの実行を終了して再び元の待機状態となる。
【００５２】
Ｓ３９において、無音状態とする呼出音の指定回数が設定されていない場合（Ｓ３９：ＮＯ）、ＣＰＵ１は、予定番号について呼出音を無音状態とした処理を行う（Ｓ４９）。この呼出音の無音処理とは、Ｓ３６の識別番号の表示が開始されても一切呼出音を鳴動させない処理である。
【００５３】
Ｓ３８において、識別番号が予定番号に一致しない場合（Ｓ３８：ＮＯ）、ＣＰＵ１は、Ｓ４１の処理に移行し、ＮＣＵ２を制御して呼出ベルにより呼出音を鳴動させる。
【００５４】
Ｓ３２において、コーラＩＤ信号を受信しない場合（Ｓ３２：ＮＯ）、ＣＰＵ１は、Ｓ３６の識別番号を表示させる処理を行うことなく、パイロットランプ１４ｂを点灯状態とし（Ｓ５０）、それとほぼ同時にＳ４１の呼出音の鳴動を開始させる。
【００５５】
Ｓ３１において、起動信号を受信しない場合（Ｓ３１：ＮＯ）、ＣＰＵ１は、このＳ３１の判断を繰り返し行うことで起動信号を受信するまで待機状態を続ける。
【００５６】
以上のＣＰＵ１による一連の処理動作により、予定された発信元からの呼出に際しては、その発信元の電話番号となる識別番号がディスプレイ１４ａに表示されるとともに、パイロットランプ１４ｂの点灯により呼出が報知される一方、識別番号の表示から指定回数
分遅れて呼出音が鳴動することとなる。発信元は、公衆電話回線１６を通じて聞こえる呼出音（リングバックトーン）の回数を数え、呼出音の指定回数内において一方的に回線を切断することにより、確実に受信側の本ファクシミリ装置にて呼出音を鳴動させないものとすることができる。しかも、予定された発信元は、呼出音の指定回数分を超過して呼び出す状態を続行すれば、たとえば緊急を要する場合などに受信側の本ファクシミリ装置にて呼出音を鳴動させることができる。
【００５７】
したがって、上記構成、動作を有するファクシミリ装置によれば、ナンバーディスプレイ機能に基づいて得られた識別番号は、通信動作の最中における呼出音鳴り分け機能に必要な所定の設定登録操作に応じて特定番号として設定登録されるので、ナンバーディスプレイ機能を利用しつつ、呼出音鳴り分け機能を利用する形態で必要とされる設定登録操作の不便さを解消することができる。
【００５８】
また、予定された発信元からの呼出に際して識別番号が表示され、その識別番号の表示を開始してから指定回数に相当する所定時間遅れて呼出音が鳴動するので、発信元、受信側の双方ともにナンバーディスプレイ機能を利用しつつ、呼出音に頼ることなく予定の処置を行うことができる。さらに、受信側の本ファクシミリ装置では、呼出時に呼出音が鳴動しなくても、過去の呼出時に得られた履歴番号をＥＥＰＲＯＭ６から読み出して表示させることで、予定された発信元からの呼出が事後的に確認できるので、ナンバーディスプレイ機能を利用しつつ、予定された発信元が呼出音を単に鳴動させる利用形態での不便さを解消することができる。
【００５９】
なお、本実施形態においては、特定番号を通信動作中の操作に応じてＥＥＰＲＯＭ６の特定・予定番号記憶エリアに設定登録するとしたが、そのような特定番号は、既にＥＥＰＲＯＭ６に登録された履歴番号、電話帳データに含まれる相手先の電話番号、あるいはマニュアルキー入力による入力番号であっても良く、勿論通話が行われない待機状態中であっても設定登録することが可能である。
【００６０】
また、電話帳データは、相手先の名前や電話番号などに加えて、各相手先ごとに呼出音パターンや無音回数を設定登録することが可能なデータ構造としても良い。このようなデータ構造の電話帳データとすれば、ＥＥＰＲＯＭ６に特定・予定番号記憶エリアを設ける必要はない。
【００６１】
さらに、識別番号に代えていわゆるリダイヤル番号を特定番号や予定番号として設定登録することも勿論可能である。
【００６２】
さらにまた、ＥＥＰＲＯＭ６に設定登録された特定番号や予定番号は、ディスプレイ１４ａに表示させたり、そのＥＥＰＲＯＭ６から消去したりすることができるこも勿論可能である。この場合、特定番号や予定番号は、使用者の設定登録操作に応じて順次ＥＥＰＲＯＭ６の特定・予定番号記憶エリアに記録されるものとし、その後、使用者により消去処理に応じた操作がされるまで記録に残された状態とされる。
【００６３】
一方、識別番号として得られる相手先の電話番号は、優先番号としてＲＡＭ３に設けた優先番号記憶エリアに一つだけ記録されるものとし、その優先番号に該当する発信元から再度呼出があった場合にＲＡＭ３から消去されるものとしても良い。
【００６４】
図５は、優先番号に基づく呼出音鳴り分けモードにおけるＣＰＵの動作手順を示したフローチャートである。なお、この図に示す呼出音鳴り分けモードＩＩは、図３に示した呼出音鳴り分けモードＩに優先番号に関する処理を追加しただけであるから、図３に示すところと同一処理動作については、その説明を省略する。
【００６５】
図５に示すように、まず、ＣＰＵ１は、図３に示すＳ１〜Ｓ７と同様のＳ６１〜Ｓ６７の処理を行う。
【００６６】
続いてＣＰＵ１は、ＲＡＭ３内の優先番号記憶エリアに既に設定登録された優先番号を読み出し、その優先番号とＳ６４の処理によって取得した識別番号とが一致するか否かを判別する（Ｓ６８）。
【００６７】
識別番号が優先番号に一致する場合（Ｓ６８：ＹＥＳ）、ＣＰＵ１は、ＮＣＵ２を制御して呼出ベルにより通常とは異なる優先音を鳴動させ（Ｓ６９）、その後ＣＰＵは、ＲＡＭ３から優先番号を削除する（Ｓ７０）。
【００６８】
さらに、ＣＰＵ１は、図３に示すＳ１０〜Ｓ１３と同様のＳ７１〜Ｓ６４の処理を行う。
【００６９】
続いてＣＰＵ１は、Ｓ６４において取得した識別番号を優先番号記憶エリアに優先番号として設定登録するための操作が使用者により行われたか否かを判断している（Ｓ７５）。そのような優先番号を設定登録するための操作は、操作部１３における所定のキーをワンプッシュ操作することなどによって行われる。この際、優先音の音色を指定して設定登録することも可能とされている。
【００７０】
優先番号を設定登録するための操作がなされた場合（Ｓ７５：ＹＥＳ）、ＣＰＵ１は、その優先番号をＲＡＭ３の優先番号記憶エリアに設定登録させる（Ｓ１６）。このようにしてＲＡＭ３に設定登録された優先番号がその後上記したＳ６８において用いられることとなる。
【００７１】
その後、ＣＰＵ１は、図３に示すＳ１４〜Ｓ１７と同様のＳ７７〜Ｓ８０の処理を経て、この呼出音鳴り分けモードＩＩにかかるプログラムの実行を終了して再び元の待機状態となる。
【００７２】
Ｓ７５においてＮＯの場合、Ｓ７７と同様にＳ７９に移行する。
【００７３】
Ｓ７１においてＮＯの場合、図３に示すＳ１８と同様のＳ８１の処理を経て、
Ｓ６８においてＮＯの場合、図３に示すＳ８，Ｓ９，Ｓ１９と同様にＳ８２〜Ｓ８４の処理を経てＳ７１に移行する。
【００７４】
Ｓ６２においてＮＯの場合、図３に示すＳ２０と同様にＳ８５の処理を経てＳ８４に移行する。
【００７５】
このような呼出音鳴り分けモードＩＩで動作するファクシミリ装置によれば、通話中の相手が再度電話をかけ直すといったような場合、その相手先の電話番号を優先番号として設定登録しておけば、その相手先から再び呼出があった場合に通常とは異なる優先音が鳴動し、通話を行っていた本人が直接オフフック操作することで、他人を介することなく取り次ぎの手間を省くことができるとともに、優先番号をＲＡＭ３から消去する手間も省くことができる。
【００７６】
なお、優先番号を削除するタイミングは、図５のフローチャートに示すようなタイミングに限ることはなく、優先音に応対した使用者によってオフフック操作された後であっても良い。また、優先番号として設定登録するタイミングも、図５に示すようなタイミング
に限ることはなく、通話中あるいは回線閉結後のいずれのタイミングであっても良い。
【００７７】
上記各実施形態で説明したように、本発明にかかる通信装置は、ファクシミリ装置に適用されるだけでなく、もちろん通常の据置型や携帯型の電話装置にも適用可能である。
【図面の簡単な説明】
【００７８】
【図１】本発明にかかる通信装置をファクシミリ装置に適用した場合の一実施形態を示した回路ブロック図である。
【図２】特定・予定番号記憶エリアにおけるデータ構造を概念的に示した説明図である。
【図３】呼出音鳴り分けモードＩにおけるＣＰＵの動作手順を示したフローチャートである。
【図４】呼出音遅延モードにおけるＣＰＵの動作手順を示したフローチャートである。
【図５】優先番号に基づく呼出音鳴り分けモードＩＩにおけるＣＰＵの動作手順を示したフローチャートである。
【符号の説明】
【００７９】
１      ＣＰＵ
２      ＮＣＵ
３      ＲＡＭ
４      モデム
５      ＲＯＭ
６      ＥＥＰＲＯＭ
７      ゲートアレイ
８      コーデック
９      ＤＭＡＣ
１１    読取部
１２    記録部
１３    操作部
１４    表示部
１４ａ  ディスプレイ
１４ｂ  パイロットランプ
１６  公衆電話回線
【図１】
2008141788.tif 000003
【図２】
2008141788.tif 000004
【図３】
2008141788.tif 000005
【図４】
2008141788.tif 000006
【図５】
2008141788.tif 000007